(57)【要約】【課題】操作表示部の表示態様に自由度をもたせた画像形成装置を提供する。【解決手段】本発明に係る画像形成装置１によれば、文字サイズ選択画面３８１から文字サイズが設定されると、操作表示制御部３１により、設定された文字サイズの文字が標準レイアウトに表示可能であるか否かが判断され、表示可能である場合は、標準レイアウト上に設定された文字サイズで文字が表示され、表示不可能である場合は、変更レイアウト上に設定された文字サイズで文字が表示される。また、操作ボタンサイズ選択画面３８６からボタンサイズが設定されると、操作表示制御部３１により、設定されたボタンサイズの操作ボタンが標準レイアウトに表示可能であるか否かが判断され、表示可能である場合は、標準レイアウト上に設定されたボタンサイズで操作ボタンが表示され、表示不可能である場合は、変更レイアウト上に設定されたボタンサイズで操作ボタンが表示される。【選択図】図１
2004180275.tif 000002
【特許請求の範囲】
【請求項１】
表示部の表示画面上に透明タッチパネルが重ねられ、前記表示画面上に表示された操作指示項目に対応する前記透明タッチパネルの押下により操作指示の入力が可能な操作表示部を備えた画像形成装置において、
前記表示画面上に表示される前記操作指示項目の文字のサイズを設定するための設定手段と、
前記設定手段により設定された文字サイズで前記表示画面上に文字を表示するように前記操作表示部の制御を行う表示制御部を備えたことを特徴とする画像形成装置。
【請求項２】
前記表示制御部は、前記設定された文字サイズの操作指示項目が予め定められた画面レイアウトに表示可能か否かを判断し、前記判断の結果、表示可能である場合には、前記画面レイアウトを変更せずに表示を行うことを特徴とする請求項１に記載の画像形成装置。
【請求項３】
前記表示制御部は、前記設定された文字サイズの操作指示項目が予め定められた画面レイアウトに表示可能か否かを判断し、前記判断の結果、表示可能ではない場合に、前記画面レイアウトを変更して表示を行うことを特徴とする請求項１に記載の画像形成装置。
【請求項４】
前記予め定められた画面レイアウトには、前記操作指示項目が表示された複数の操作ボタンが配置されており、
前記表示制御部は、前記判断の結果、表示可能ではない場合に、前記予め定められた画面レイアウトに配置された複数の操作ボタンを分割して別画面に割付け、前記複数の操作ボタンが割付けられた各画面を選択可能にしたレイアウトに変更することを特徴とする請求項３に記載の画像形成装置。
【請求項５】
前記表示制御部は、前記判断の結果、表示可能ではない場合に、前記画面レイアウト上の予め定められた表示項目を非表示とするレイアウトに変更することを特徴とする請求項３に記載の画像形成装置。
【請求項６】
前記設定手段によって設定される文字サイズに応じた画面レイアウトを記憶する記憶部を有し、
前記表示制御部は、前記設定手段によって設定された文字サイズに応じた画面レイアウトを前記記憶部から読み出し前記表示画面の表示を行うことを特徴とする請求項１に記載の画像形成装置。
【請求項７】
前記表示制御部は、前記文字のサイズを設定するための設定画面として、前記表示画面に文字サイズの大小を切り替える切り替えボタンを表示し、
前記設定手段は、前記切り替えボタンの操作に応じて前記文字サイズを設定することを特徴とする請求項１に記載の画像形成装置。
【請求項８】
前記画面レイアウトには、前記操作指示項目が表示された複数の操作ボタンが配置されており、
前記表示制御部は、前記設定された文字サイズに応じて、前記操作ボタン内のアイコンの表示／非表示を切り替えることを特徴とする請求項１に記載の画像形成装置。
【請求項９】
前記設定手段により第１の文字サイズを設定した場合と、前記第１の文字サイズより大きい第２の文字サイズを設定した場合とで、画面レイアウトが異なることを特徴とする請求項１に記載の画像形成装置。
【請求項１０】
前記表示画面には、前記操作指示項目を内包する操作ボタンが表示され、
前記表示制御部は、前記設定手段により設定された文字サイズに応じて、前記操作ボタンの大きさを変更することを特徴とする請求項１に記載の画像形成装置。
【請求項１１】
前記設定手段により第１の文字サイズを設定した場合に表示される第１表示画面に比して、前記第１の文字サイズより大きい第２の文字サイズを設定した場合に表示される第２表示画面に表示される操作ボタンの数が少なくなることを特徴とする請求項１０に記載の画像形成装置。
【請求項１２】
前記表示制御部は、前記第２表示画面に、前記第１の文字サイズを設定した場合に表示される操作ボタンのうち、前記第２の文字サイズを設定した場合に表示されない操作ボタンを表示するために、画面切替ボタンを表示することを特徴とする請求項１１に記載の画像形成装置。
【請求項１３】
前記表示画面には、前記操作指示項目及びアイコンを内包する操作ボタンが表示され、
前記表示制御部は、前記設定手段により設定された文字サイズに応じて、前記アイコンの大きさを変更することを特徴とする請求項１に記載の画像形成装置。
【請求項１４】
表示部の表示画面上に透明タッチパネルが重ねられ、前記表示画面上に表示された操作ボタンに対応する前記透明タッチパネルの押下により操作指示の入力が可能な操作表示部を備えた画像形成装置において、
前記表示画面上に表示される前記操作ボタンのサイズを設定するための設定手段と、
前記設定手段により設定された操作ボタンサイズで前記表示画面上に操作ボタンを表示するように前記操作表示部の制御を行う表示制御部を備えたことを特徴とする画像形成装置。
【請求項１５】
前記表示制御部は、前記設定された操作ボタンサイズの操作ボタンが予め定められた画面レイアウトに表示可能か否かを判断し、前記判断の結果、表示可能である場合には、前記画面レイアウトを変更せずに表示を行うことを特徴とする請求項１４に記載の画像形成装置。
【請求項１６】
前記表示制御部は、前記設定された操作ボタンサイズの操作ボタンが予め定められた画面レイアウトに表示可能か否かを判断し、前記判断の結果、表示可能ではない場合に、前記画面レイアウトを変更して表示を行うことを特徴とする請求項１４に記載の画像形成装置。
【請求項１７】
前記表示制御部は、前記判断の結果、表示可能ではない場合に、前記予め定められた画面レイアウトに配置された複数の操作ボタンを分割して別画面に割付け、前記複数の操作ボタンが割付けられた各画面を選択可能にしたレイアウトに変更することを特徴とする請求項１６に記載の画像形成装置。
【請求項１８】
前記表示制御部は、前記判断の結果、表示可能ではない場合に、前記画面レイアウト上の予め定められた表示項目を非表示とするレイアウトに変更することを特徴とする請求項１６に記載の画像形成装置。
【請求項１９】
前記設定手段によって設定される操作ボタンサイズに応じた画面レイアウトを記憶する記憶部を有し、
前記表示制御部は、前記設定手段によって設定された操作ボタンサイズに応じた画面レイアウトを前記記憶部から読み出し前記表示画面の表示を行うことを特徴とする請求項１４に記載の画像形成装置。
【請求項２０】
前記表示制御部は、前記操作ボタンのサイズを設定するための設定画面として、前記表示画面に操作ボタンサイズの大小を切り替える切り替えボタンを表示し、
前記設定手段は、前記切り替えボタンの操作に応じて前記操作ボタンサイズを設定することを特徴とする請求項１４に記載の画像形成装置。
【請求項２１】
前記表示制御部は、前記設定手段により操作ボタンサイズがより大きく設定された場合に、少なくとも一つの操作ボタンを前記設定された操作ボタンサイズで前記表示画面上に表示することを特徴とする請求項１４に記載の画像形成装置。
【請求項２２】
前記設定手段により第１の操作ボタンサイズを設定した場合と、前記第１の操作ボタンサイズより大きい第２の操作ボタンサイズを設定した場合とで、画面レイアウトが異なることを特徴とする請求項１４に記載の画像形成装置。
【請求項２３】
前記操作ボタン内には、前記操作指示項目の文字が表示され、
前記表示制御部は、前記設定手段により設定された操作ボタンサイズに応じて、前記文字の表示サイズを変更することを特徴とする請求項１４に記載の画像形成装置。
【請求項２４】
前記設定手段により第１の操作ボタンサイズを設定した場合に表示される第１表示画面に比して、前記第１の操作ボタンサイズより大きい第２の操作ボタンサイズを設定した場合に表示される第２表示画面に表示される操作ボタンの数が少なくなることを特徴とする請求項１４に記載の画像形成装置。
【請求項２５】
前記表示制御部は、前記第２表示画面に、前記第１の操作ボタンサイズを設定した場合に表示される操作ボタンのうち、前記第２の操作ボタンサイズを設定した場合に表示されない操作ボタンを表示するために、画面切替ボタンを表示することを特徴とする請求項２４に記載の画像形成装置。
【請求項２６】
前記操作ボタン内には、前記操作指示項目の文字及びアイコンが表示され、
前記表示制御部は、前記設定手段により設定された操作ボタンサイズに応じて、前記アイコンのサイズを変更することを特徴とする請求項１４に記載の画像形成装置。
【発明の詳細な説明】
【技術分野】
【０００１】
本発明は、表示部の表示画面上に透明タッチパネルが重畳され、透明タッチパネルの押下により操作指示の入力が可能な操作表示部を備えた画像形成装置に関する。
【背景技術】
【０００２】
従来、画像表示装置においては、画像の表示サイズを変化させながら表示するものが知られている。例えば、特許文献１には、リモコン等から指示された速度が所定速度より大きい場合は画質より処理速度を優先して表示画像のサイズ変更処理を行い、所定速度以下である場合には画質を優先したサイズ変更処理を行う技術が記載されている。
【特許文献１】特開２０００−２９３６７６号公報
【発明の開示】
【発明が解決しようとする課題】
【０００３】
画像形成装置においては、ユーザインターフェースとして、表示部の表示画面上に透明タッチパネルが重畳された操作パネルが備えられている。操作パネルの画面上には、各種操作ボタンや画像の状態表示、各機能の動作状況等が表示され、ユーザは、この操作パネルの画面上に表示された各種操作ボタンを指等で触れることにより、画像形成装置に対しての操作指示を行い、また、画像の状態表示、各機能の動作状況等の表示により、画像形成装置の装置状態を知ることができる。この操作パネルの画面上に表示される文字のサイズ、操作ボタンのサイズは、従来、標準的なものに固定されている。
【０００４】
しかしながら、文字やボタンのサイズに対する感じ方は個々のユーザにより異なる。そのため、従来の固定された文字やボタンのサイズは、必ずしもユーザにとって最適な、使い勝手のよいものであるとは限らず、極端な場合には、弱視のため文字が認識できないといったケースもあった。
【０００５】
本発明の課題は、操作表示部の表示態様に自由度をもたせた画像形成装置を提供することである。
【課題を解決するための手段】
【０００６】
上記課題を解決するため、請求項１に記載の発明は、
表示部の表示画面上に透明タッチパネルが重ねられ、前記表示画面上に表示された操作指示項目に対応する前記透明タッチパネルの押下により操作指示の入力が可能な操作表示部を備えた画像形成装置において、
前記表示画面上に表示される前記操作指示項目の文字のサイズを設定するための設定手段と、
前記設定手段により設定された文字サイズで前記表示画面上に文字を表示するように前記操作表示部の制御を行う表示制御部を備えたことを特徴としている。
【０００７】
請求項２に記載の発明は、請求項１に記載の発明において、
前記表示制御部は、前記設定された文字サイズの操作指示項目が予め定められた画面レイアウトに表示可能か否かを判断し、前記判断の結果、表示可能である場合には、前記画面レイアウトを変更せずに表示を行うことを特徴としている。
【０００８】
請求項３に記載の発明は、請求項１に記載の発明において、
前記表示制御部は、前記設定された文字サイズの操作指示項目が予め定められた画面レイアウトに表示可能か否かを判断し、前記判断の結果、表示可能ではない場合に、前記画面レイアウトを変更して表示を行うことを特徴としている。
【０００９】
請求項４に記載の発明は、請求項３に記載の発明において、
前記予め定められた画面レイアウトには、前記操作指示項目が表示された複数の操作ボタンが配置されており、
前記表示制御部は、前記判断の結果、表示可能ではない場合に、前記予め定められた画面レイアウトに配置された複数の操作ボタンを分割して別画面に割付け、前記複数の操作ボタンが割付けられた各画面を選択可能にしたレイアウトに変更することを特徴としている。
【００１０】
請求項５に記載の発明は、請求項３に記載の発明において、
前記表示制御部は、前記判断の結果、表示可能ではない場合に、前記画面レイアウト上の予め定められた表示項目を非表示とするレイアウトに変更することを特徴としている。
【００１１】
請求項６に記載の発明は、請求項１に記載の発明において、
前記設定手段によって設定される文字サイズに応じた画面レイアウトを記憶する記憶部を有し、
前記表示制御部は、前記設定手段によって設定された文字サイズに応じた画面レイアウトを前記記憶部から読み出し前記表示画面の表示を行うことを特徴としている。
【００１２】
請求項７に記載の発明は、請求項１に記載の発明において、
前記表示制御部は、前記文字のサイズを設定するための設定画面として、前記表示画面に文字サイズの大小を切り替える切り替えボタンを表示し、
前記設定手段は、前記切り替えボタンの操作に応じて前記文字サイズを設定することを特徴としている。
【００１３】
請求項８に記載の発明は、請求項１に記載の発明において、
前記画面レイアウトには、前記操作指示項目が表示された複数の操作ボタンが配置されており、
前記表示制御部は、前記設定された文字サイズに応じて、前記操作ボタン内のアイコンの表示／非表示を切り替えることを特徴としている。
【００１４】
請求項９に記載の発明は、請求項１に記載の発明において、
前記設定手段により第１の文字サイズを設定した場合と、前記第１の文字サイズより大きい第２の文字サイズを設定した場合とで、画面レイアウトが異なることを特徴としている。
【００１５】
請求項１０に記載の発明は、請求項１に記載の発明において、
前記表示画面には、前記操作指示項目を内包する操作ボタンが表示され、
前記表示制御部は、前記設定手段により設定された文字サイズに応じて、前記操作ボタンの大きさを変更することを特徴としている。
【００１６】
請求項１１に記載の発明は、請求項１０に記載の発明において、
前記設定手段により第１の文字サイズを設定した場合に表示される第１表示画面に比して、前記第１の文字サイズより大きい第２の文字サイズを設定した場合に表示される第２表示画面に表示される操作ボタンの数が少なくなることを特徴としている。
【００１７】
請求項１２に記載の発明は、請求項１１に記載の発明において、
前記表示制御部は、前記第２表示画面に、前記第１の文字サイズを設定した場合に表示される操作ボタンのうち、前記第２の文字サイズを設定した場合に表示されない操作ボタンを表示するために、画面切替ボタンを表示することを特徴としている。
【００１８】
請求項１３に記載の発明は、請求項１に記載の発明において、
前記表示画面には、前記操作指示項目及びアイコンを内包する操作ボタンが表示され、
前記表示制御部は、前記設定手段により設定された文字サイズに応じて、前記アイコンの大きさを変更することを特徴としている。
【００１９】
請求項１４に記載の発明は、
表示部の表示画面上に透明タッチパネルが重ねられ、前記表示画面上に表示された操作ボタンに対応する前記透明タッチパネルの押下により操作指示の入力が可能な操作表示部を備えた画像形成装置において、
前記表示画面上に表示される前記操作ボタンのサイズを設定するための設定手段と、
前記設定手段により設定された操作ボタンサイズで前記表示画面上に操作ボタンを表示するように前記操作表示部の制御を行う表示制御部を備えたことを特徴としている。
【００２０】
請求項１５に記載の発明は、請求項１４に記載の発明において、
前記表示制御部は、前記設定された操作ボタンサイズの操作ボタンが予め定められた画面レイアウトに表示可能か否かを判断し、前記判断の結果、表示可能である場合には、前記画面レイアウトを変更せずに表示を行うことを特徴としている。
【００２１】
請求項１６に記載の発明は、請求項１４に記載の発明において、
前記表示制御部は、前記設定された操作ボタンサイズの操作ボタンが予め定められた画面レイアウトに表示可能か否かを判断し、前記判断の結果、表示可能ではない場合に、前記画面レイアウトを変更して表示を行うことを特徴としている。
【００２２】
請求項１７に記載の発明は、請求項１６に記載の発明において、
前記表示制御部は、前記判断の結果、表示可能ではない場合に、前記予め定められた画面レイアウトに配置された複数の操作ボタンを分割して別画面に割付け、前記複数の操作ボタンが割付けられた各画面を選択可能にしたレイアウトに変更することを特徴としている。
【００２３】
請求項１８に記載の発明は、請求項１６に記載の発明において、
前記表示制御部は、前記判断の結果、表示可能ではない場合に、前記画面レイアウト上の予め定められた表示項目を非表示とするレイアウトに変更することを特徴としている。
【００２４】
請求項１９に記載の発明は、請求項１４に記載の発明において、
前記設定手段によって設定される操作ボタンサイズに応じた画面レイアウトを記憶する記憶部を有し、
前記表示制御部は、前記設定手段によって設定された操作ボタンサイズに応じた画面レイアウトを前記記憶部から読み出し前記表示画面の表示を行うことを特徴としている。
【００２５】
請求項２０に記載の発明は、請求項１４に記載の発明において、
前記表示制御部は、前記操作ボタンのサイズを設定するための設定画面として、前記表示画面に操作ボタンサイズの大小を切り替える切り替えボタンを表示し、
前記設定手段は、前記切り替えボタンの操作に応じて前記操作ボタンサイズを設定することを特徴としている。
【００２６】
請求項２１に記載の発明は、請求項１４に記載の発明において、
前記表示制御部は、前記設定手段により操作ボタンサイズがより大きく設定された場合に、少なくとも一つの操作ボタンを前記設定された操作ボタンサイズで前記表示画面上に表示することを特徴としている。
【００２７】
請求項２２に記載の発明は、請求項１４に記載の発明において、
前記設定手段により第１の操作ボタンサイズを設定した場合と、前記第１の操作ボタンサイズより大きい第２の操作ボタンサイズを設定した場合とで、画面レイアウトが異なることを特徴としている。
【００２８】
請求項２３に記載の発明は、請求項１４に記載の発明において、
前記操作ボタン内には、前記操作指示項目の文字が表示され、
前記表示制御部は、前記設定手段により設定された操作ボタンサイズに応じて、前記文字の表示サイズを変更することを特徴としている。
【００２９】
請求項２４に記載の発明は、請求項１４に記載の発明において、
前記設定手段により第１の操作ボタンサイズを設定した場合に表示される第１表示画面に比して、前記第１の操作ボタンサイズより大きい第２の操作ボタンサイズを設定した場合に表示される第２表示画面に表示される操作ボタンの数が少なくなることを特徴としている。
【００３０】
請求項２５に記載の発明は、請求項２４に記載の発明において、
前記表示制御部は、前記第２表示画面に、前記第１の操作ボタンサイズを設定した場合に表示される操作ボタンのうち、前記第２の操作ボタンサイズを設定した場合に表示されない操作ボタンを表示するために、画面切替ボタンを表示することを特徴としている。
【００３１】
請求項２６に記載の発明は、請求項１４に記載の発明において、
前記操作ボタン内には、前記操作指示項目の文字及びアイコンが表示され、
前記表示制御部は、前記設定手段により設定された操作ボタンサイズに応じて、前記アイコンのサイズを変更することを特徴としている。
【発明の効果】
【００３２】
請求項１に記載の発明によれば、表示画面上に表示される操作指示項目の文字のサイズを設定するための設定手段を有し、この設定手段により設定された文字サイズで表示画面上に文字を表示するように操作表示部の制御を行う。従って、表示画面に表示される文字のサイズの変更が可能となり、ユーザにとって最適な、使い勝手のよい表示を行うことができる。
【００３３】
請求項２に記載の発明によれば、設定された文字サイズの操作指示項目が予め定められた画面レイアウトに表示可能か否かを判断し、判断の結果、表示可能である場合には、画面レイアウトを変更せずに表示を行う。従って、ユーザは、表示画面を、使い慣れた画面レイアウト上で所望の文字サイズに変更することができる。
【００３４】
請求項３に記載の発明によれば、設定された文字サイズの操作指示項目が予め定められた画面レイアウトに表示可能か否かを判断し、判断の結果、表示可能ではない場合に、画面レイアウトを変更して表示を行う。従って、ユーザは、表示画面を、使いやすい文字サイズ及びこれに応じた画面レイアウトに変更することができる。
【００３５】
請求項４に記載の発明によれば、設定された文字サイズの操作表示項目が予め定められた画面レイアウトに表示可能ではない場合に、操作表示項目が表示された複数の操作ボタンを分割して別画面に割付け、その各画面を選択可能にしたレイアウトに変更することができる。
【００３６】
請求項５に記載の発明によれば、設定された文字サイズの操作表示項目が予め定められた画面レイアウトに表示可能ではない場合に、画面レイアウト上の予め定められた表示項目を非表示とするレイアウトに変更することができる。
【００３７】
請求項６に記載の発明によれば、設定手段によって設定される文字サイズに応じた画面レイアウトを記憶する記憶部を有し、設定された文字サイズに応じた画面レイアウトを記憶部から読み出し、表示画面の表示を行う。従って、設定された文字サイズに応じた画面レイアウトで表示画面を表示することができる。
【００３８】
請求項７に記載の発明によれば、文字のサイズを設定するための設定画面として、表示画面上に文字サイズの大小を切り替える切り替えボタンを表示し、切り替えボタンの操作に応じて文字サイズを設定する。従って、文字サイズの変化を見ながら最適な文字サイズを設定することができるので、ユーザが文字サイズの設定をしやすくなる。
【００３９】
請求項８に記載の発明によれば、設定された文字サイズに応じて、操作指示項目が表示された操作ボタン内のアイコンの表示・非表示を切り替えることができる。
【００４０】
請求項９に記載の発明によれば、第１の文字サイズを設定した場合と、第１の文字サイズより大きい第２の文字サイズを設定した場合とで、異なる画面レイアウトで表示画面を表示するので、文字サイズに応じた表示画面を提供することができる。
【００４１】
請求項１０に記載の発明によれば、表示画面には、操作指示項目を内包する操作ボタンが表示され、設定された文字サイズに応じて、操作ボタンの大きさを変更することができる。
【００４２】
請求項１１に記載の発明によれば、第１の文字サイズを設定した場合に表示される第１表示画面に比して、第１の文字サイズより大きい第２の文字サイズを設定した場合に表示される第２表示画面に表示される操作ボタンの数が少なくなるように表示することができる。
【００４３】
請求項１２に記載の発明によれば、第２表示画面には、第１の文字サイズを設定した場合に表示される操作ボタンのうち、第２の文字サイズを設定した場合に表示されない操作ボタンを表示するために、画面切替ボタンを表示するので、画面切替により表示すべき操作ボタンを表示することができる。
【００４４】
請求項１３に記載の発明によれば、表示画面には、操作指示項目及びアイコンを内包する操作ボタンが表示され、設定された文字サイズに応じて、アイコンの大きさを変更することができる。
【００４５】
請求項１４に記載の発明によれば、表示画面上に表示される操作ボタンのサイズを設定するための設定手段を有し、設定手段により設定された操作ボタンサイズで表示画面上に操作ボタンを表示するように操作表示部の制御を行う。従って、表示画面に表示される操作ボタンのサイズの設定変更が可能となり、ユーザにとって最適な、使い勝手のよい表示を行うことができる。
【００４６】
請求項１５に記載の発明によれば、設定された操作ボタンサイズの操作ボタンが予め定められた画面レイアウトに表示可能か否かを判断し、判断の結果、表示可能である場合には、画面レイアウトを変更せずに表示を行う。従って、ユーザは、表示画面を、使い慣れた画面レイアウト上で所望の操作ボタンサイズに変更することができる。
【００４７】
請求項１６に記載の発明によれば、設定された操作ボタンサイズの操作ボタンが予め定められた画面レイアウトに表示可能か否かを判断し、判断の結果、表示可能ではない場合に、画面レイアウトを変更して表示を行う。従って、ユーザは、表示画面を、使いやすい操作ボタンサイズ及びこれに応じた画面レイアウトに変更することができる。
【００４８】
請求項１７に記載の発明によれば、設定された操作ボタンサイズの操作ボタンが予め定められた画面レイアウトに表示可能ではない場合に、画面レイアウトに配置された複数の操作ボタンを分割して別画面に割付け、その各画面を選択可能にしたレイアウトに変更することができる。
【００４９】
請求項１８に記載の発明によれば、設定された操作ボタンサイズの操作ボタンが予め定められた画面レイアウトに表示可能ではない場合に、画面レイアウト上の予め定められた表示項目を非表示とするレイアウトに変更することができる。
【００５０】
請求項１９に記載の発明によれば、設定手段によって設定される操作ボタンサイズに応じた画面レイアウトを記憶する記憶部を有し、設定された操作ボタンサイズに応じた画面レイアウトを記憶部から読み出し、表示画面の表示を行う。従って、設定された操作ボタンのサイズに応じた画面レイアウトで画面を表示することができる。
【００５１】
請求項２０に記載の発明によれば、操作ボタンのサイズを設定するための設定画面として、表示画面に操作ボタンサイズの大小を切り替える切り替えボタンを表示し、切り替えボタンの操作に応じて操作ボタンサイズを設定する。従って、操作ボタンサイズの変化を見ながら最適な操作ボタンサイズを設定することができるので、ユーザが操作ボタンのサイズを設定しやすくなる。
【００５２】
請求項２１に記載の発明によれば、操作ボタンサイズがより大きく設定された場合に、少なくとも一つの操作ボタンを設定された操作ボタンサイズで表示画面上に表示する。従って、例えば、操作ボタンの使用頻度の高い操作ボタンのサイズのみを大きくする等により、より使い勝手のよい表示を行うことができる。
【００５３】
請求項２２に記載の発明によれば、第１の操作ボタンサイズを設定した場合と、第１の操作ボタンサイズより大きい第２の操作ボタンサイズを設定した場合とで、異なる画面レイアウトで表示するので、操作ボタンサイズに応じた表示画面を提供することができる。
【００５４】
請求項２３に記載の発明によれば、設定された操作ボタンサイズに応じて、操作ボタン内に表示された操作指示項目の文字の表示サイズを変更することができる。
【００５５】
請求項２４に記載の発明によれば、第１の操作ボタンサイズを設定した場合に表示される第１表示画面に比して、第１の操作ボタンサイズより大きい第２の操作ボタンサイズを設定した場合に表示される第２表示画面に表示される操作ボタンの数が少なくなるように表示することができる。
【００５６】
請求項２５に記載の発明によれば、第２表示画面には、第１の操作ボタンサイズを設定した場合に表示される操作ボタンのうち、第２の操作ボタンサイズを設定した場合に表示されない操作ボタンを表示するために、画面切替ボタンを表示するので、画面切替により表示すべき操作ボタンを表示することができる。
【００５７】
請求項２６に記載の発明によれば、操作ボタンサイズに応じて、操作ボタン内に表示されるアイコンのサイズを変更することができる。
【発明を実施するための最良の形態】
【００５８】
〔第１の実施の形態〕
以下、図を参照して本発明の第１の実施の形態を詳細に説明する。
まず、構成を説明する。
【００５９】
図１に、画像形成装置１における本体１０及び操作表示部３０の構成例をブロック図で示す。図１に示すように、画像形成装置１の本体１０には、信号線２１を介して操作表示部３０が接続されている。信号線２１を通じて本体１０と操作表示部３０との間で表示制御信号、操作信号等がシリアル通信方式で送受信される。
【００６０】
画像形成装置１の本体１０は、図１に示すように、本体ＣＰＵ（Central Processing Unit）１１、ＲＯＭ（Read Only Memory）１２、ＲＡＭ（Random Access Memory）１３、不揮発ＲＡＭ１４、シリアル通信制御ユニット１５、画像読取ユニット１６、画像形成ユニット１７、転写ユニット１８、通信制御部１９等により構成されており、各部はバス２０により接続されている。
【００６１】
本体ＣＰＵ１１は、ＲＯＭ１２に記憶されている画像形成装置１を制御するためのシステムプログラムをＲＡＭ１３に読み出して、読み出したプログラムとの協働により、画像形成装置１全体の制御を行う。また、本体ＣＰＵ１１は、ＲＯＭ１２に記憶されている各種処理プログラムをＲＡＭ１３に展開し、この各種処理プログラムとの協働により、操作表示部３０から入力される操作信号や通信制御部１９を介して入力されるデータに応じて各種処理を実行する。
【００６２】
例えば、本体ＣＰＵ１１は、ＲＯＭ１２に記憶されている各種処理プログラムに従い、ユーザによる操作表示部３０のタッチパネル３６の押下操作に応じて画像読取ユニット１６のコンタクトガラス上に載置された原稿を複写する複写処理、ネットワークＮを介して外部機器から送信されたデータを受信して、該データに基づいて印刷出力するプリント処理、画像読取ユニット１６のコンタクトガラス上に載置された原稿を読み取って、読み取った画像データをネットワークＮを介して外部機器に出力するスキャナ処理等を行う。
【００６３】
ＲＯＭ１２は、不揮発性の半導体メモリ等により構成され、画像形成装置１に対応するシステムプログラム、及び該システムプログラム上で実行可能な各種処理プログラム等を記憶する。プログラムは、コンピュータが読み取り可能なプログラムコードの形態で格納され、本体ＣＰＵ１１は、当該プログラムコードに従った動作を逐次実行する。
【００６４】
ＲＡＭ１３は、本体ＣＰＵ１１により実行制御される各種処理において、ＲＯＭ１２から読み出されたプログラム、入力、若しくは出力データ及びパラメータ等の一時的な格納領域となる。
【００６５】
不揮発ＲＡＭ１４は、本体ＣＰＵ１１からの制御により、操作表示部３０から入力された画像形成装置１の各種設定情報等を記憶する。
【００６６】
シリアル通信制御ユニット１５は、本体１０と操作表示部３０との間でのシリアル通信による制御信号、操作信号等の入出力を制御する。
【００６７】
画像読取ユニット１６は、原稿を載置するコンタクトガラスの下部にスキャナを備えて構成され、原稿の画像を読み取る。スキャナは、光源、ＣＣＤ（Charge Coupled Device）等により構成され、光源から原稿へ照明走査した光の反射光を結像して光電変換することにより原稿の画像を読み取り、読み取った画像を画像形成ユニット１７に出力する。ここで、画像は、図形や写真等のイメージデータに限らず、文字や記号等のテキストデータ等も含む。
【００６８】
画像形成ユニット１７は、画像読取ユニット１６から入力された画像、及び通信制御部１９により受信された画像に対して、操作表示部３０からの入力指示、あるいは通信制御部１９から受信したデータに含まれる指示データに従って拡大縮小、回転、及び位置変更等の画像処理を施して、その画像処理した画像を転写ユニット１８に出力する。
【００６９】
転写ユニット１８は、感光ドラム、トナー、排出部、給紙部などを備えて構成され、本体ＣＰＵ１１からの印刷指示に従って、操作表示部３０から入力指示された、あるいは通信制御部１９から受信したデータに含まれる指示データにより指示されたサイズと向きの印刷用紙を給紙部から搬送して、感光ドラム表面に、画像形成ユニット１７から入力された画像の静電潜像を形成する。更に転写ユニット１８は、感光ドラム表面の静電潜像を含む領域にトナーを付着させ、給紙部から搬送される印刷用紙にトナーを転写して定着させた後、排出部から排出する。
【００７０】
通信制御部１９は、モデム、ＴＡやルータ等によって構成され、ネットワークＮに接続された外部機器との通信の制御を行う。
【００７１】
操作表示部３０は、図１に示すように、操作部と表示部とが一体化されたものであり、操作表示制御部３１、ＲＯＭ３２、ＲＡＭ３３、シリアル通信制御ユニット３４、フラッシュメモリ３５、タッチパネル３６、ＬＣＤコントローラ３７、ＬＣＤ３８等により構成されており、内部はバス３９により接続されている。
【００７２】
操作表示制御部３１は、本体ＣＰＵ１１からの制御信号により、ＲＯＭ３２に記憶されている制御プログラム、各種処理プログラムをＲＡＭ３３に読み出し、読み出したプログラムに従って操作表示部３０における操作制御及び表示制御を行う。すなわち、操作表示制御部３１は、ＲＯＭ３２に記憶された文字サイズ変更表示処理プログラム３２１に従い、文字サイズ変更表示処理（図２参照）を実行する。その概要は、次の通りである。タッチパネル３６を介して文字サイズが選択されると、ＬＣＤ３８上に表示画面の表示を行う際に、標準レイアウト格納部３５１を参照して、選択された表示サイズの文字が標準レイアウトに表示可能か否かを判断し、表示可能である場合には標準レイアウトに決定し、表示不可能である場合には変更レイアウトに決定し、決定されたレイアウト上に設定された文字サイズで文字を表示させる。
【００７３】
また、操作表示制御部３１は、タッチパネル３６から入力された操作信号を、シリアル通信制御ユニット３４を介して本体１０へ出力する。
【００７４】
ＲＯＭ３２は、不揮発性の半導体メモリ等により構成され、操作表示部３０に対応する各種制御プログラム、処理プログラム等を記憶する。例えば、ＲＯＭ３２は、文字サイズ変更表示処理プログラム３２１、ボタンサイズ変更表示処理プログラム３２２を記憶する。
【００７５】
ＲＡＭ３３は、操作表示制御部３１により実行制御される各種処理において、ＲＯＭ３２から読み出されたプログラム、入力、若しくは出力データ及びパラメータ等の一時的な格納領域となる。
【００７６】
シリアル通信制御ユニット３４は、本体１０と操作表示部３０との間でのシリアル通信による制御信号、操作信号等の入出力を制御する。
【００７７】
フラッシュメモリ３５は、操作表示制御部３１からの制御信号により、タッチパネル３６から入力される表示文字サイズ設定、表示ボタンサイズ設定等の操作表示部３０に係る各種設定情報を記憶する。また、フラッシュメモリ３５は、図１に示すように、内部に表示画面毎に予め定められた標準レイアウトのデータを格納する標準レイアウト格納部３５１及び表示画面毎の変更レイアウトのデータを格納する変更レイアウト格納部３５２を有している。
【００７８】
タッチパネル３６は、ＬＣＤ３８の表示画面上に透明電極を格子状に配置して構成された感圧式（抵抗膜圧式）のタッチパネルであり、手指やタッチペン等で押下された力点のＸＹ座標を電圧値で検出し、検出された位置信号を操作信号として操作表示制御部３１に出力する。なお、タッチパネル３６は、感圧式に限らず、他の静電式、光式等であってもよい。
【００７９】
ＬＣＤコントローラ３７は、操作表示制御部３１から入力される表示信号の指示に従って、ＬＣＤ３８を駆動制御して、表示画面上に各種操作画面等を表示させる。
表示部としてのＬＣＤ３８は、ＬＣＤコントローラ３７に駆動制御され、各種操作ボタンや画像の状態表示、各機能の動作状況等の表示を行う。
【００８０】
次に、本発明の動作について説明する。
以下、図を参照して文字サイズ変更表示処理について説明する。
図２に、タッチパネル３６から文字サイズ変更の指示が入力された際に操作表示制御部３１により実行される文字サイズ変更表示処理を示す。
【００８１】
文字サイズ変更表示処理において、タッチパネル３６から文字サイズ変更の指示が入力されると、設定手段としてのステップＳ１において、文字サイズ設定処理が実行される（ステップＳ１）。この文字サイズ設定処理において、ＬＣＤコントローラ３７を介してＬＣＤ３８に文字サイズ選択画面が表示され、文字サイズが選択入力されると、選択された文字サイズが、操作指示の入力を行うための操作指示項目を示す文字を表示する文字サイズとして設定される。
【００８２】
図３に、文字サイズ選択画面３８１の一例を示す。この図３の例においては、操作ボタンの大きさを変えずに、文字サイズのみを変更する例であるが、操作ボタンの大きさを、選択された文字サイズに応じて変更するようにしてもよい。
図３に示すように、文字サイズ選択画面３８１には、画面上部に「サイズを選択してＯＫボタンを押してください。」等の操作指示が表示され、画面中央に、実物大の文字サイズが表示された選択ボタンが文字サイズ名（例えば、小サイズ文字、中サイズ文字、大サイズ文字）と対応付けて表示されている。文字サイズの選択ボタンが選択押下され、更にＯＫボタンが押下されてタッチパネル３６からその押下信号が入力されると、選択された文字サイズが、操作指示の入力を行うための操作指示項目を示す文字を表示する文字サイズとして設定される。
【００８３】
図２のステップＳ１において文字サイズが設定されると、設定された文字サイズの文字が、表示する画面の標準レイアウトに表示可能であるか否かが判断される。設定された文字サイズの文字が標準レイアウトに表示可能である場合（ステップＳ２；ＹＥＳ）、画面レイアウトが標準レイアウトに決定され、標準レイアウト格納部３５１から表示する画面の標準レイアウトデータが読み込まれ、標準レイアウト上に設定された文字サイズで文字を表示した表示画面がＬＣＤ３８に表示される（ステップＳ３）。
【００８４】
一方、設定された文字サイズの文字が標準レイアウトに表示不可能である場合（ステップＳ２；ＮＯ）、画面レイアウトが変更レイアウトに決定され、変更レイアウト格納部３５２から表示する画面の変更レイアウトデータが読み込まれ、変更レイアウト上に設定された文字サイズで文字を表示した表示画面がＬＣＤ３８に表示される（ステップＳ４）。
【００８５】
ここで、ステップＳ２における各文字サイズの文字が標準レイアウトに表示可能であるか否かの判断は、例えば、予め標準レイアウト格納部３５１の表示画面毎の標準レイアウトデータに、各標準レイアウトに表示可能な文字サイズを対応付けて記憶しておき、ステップＳ２において、標準レイアウト格納部３５１を参照することにより行うことができる。また、標準レイアウトに表示される、操作指示項目を表示するための操作ボタンの数と文字サイズの関係から表示可能であるか否かを判断するようにしてもよい。
【００８６】
また、文字サイズ毎にその文字サイズに応じたレイアウトデータを対応付けて記憶部としてのフラッシュメモリ３５に記憶しておき、設定された文字サイズに応じたレイアウトデータを読み込んで、読み込まれた画面レイアウト上に設定された文字サイズで文字を表示するようにしてもよい。
【００８７】
なお、他の表示画面への切り替えが行われる際には、操作表示制御部３１は、ステップＳ２以降の処理を実行して、設定された文字サイズの文字が標準レイアウトに表示可能である場合には標準レイアウトで、表示不可能である場合には変更レイアウトで表示画面が表示される。
【００８８】
以下、図４〜図６を参照して、上述した文字サイズ変更表示処理を実行することにより表示される画面レイアウトについて説明する。
【００８９】
なお、図４は、操作ボタンの大きさを変えずに、文字サイズを設定されたサイズに応じて変更する実施の形態である。なお、この場合、操作ボタン内に表示される操作指示項目の文字のみならず、各画面の左上に表示される指示メッセージ（例えば、図４（ｂ）、（ｃ）においては「応用機能を選んでください」という文字）及びアイコンも、設定されたサイズに応じて変更している。
【００９０】
図４（ａ）に、上記文字サイズ選択画面３８１において、文字サイズとして小サイズが設定された場合に表示される応用機能画面３８２画面の一例を示す。図４（ａ）に示す画面レイアウトは、応用機能画面３８２における標準レイアウトである。図４（ｂ）に、文字サイズとして大サイズが設定された場合に表示される応用機能画面３８２の一例を示す。図４（ｂ）に示すように、文字サイズとして大サイズが設定された場合、標準レイアウト上に大サイズに変更された文字が表示されている。この図４（ａ）（ｂ）に示すように、文字サイズが小サイズに設定されても大サイズに設定されても、操作指示項目の文字が標準レイアウトに表示可能であるので、画面レイアウトは変更されない。このように、応用機能画面３８２においては、文字サイズの変更により画面レイアウトは変更されないが、文字サイズによって、見やすさや印象が大幅に異なる。従って、ユーザは、使い慣れた画面レイアウト上で所望の文字サイズの文字を表示する画面に設定することができる。
【００９１】
図４においては、操作指示項目の文字サイズが変更されても、操作指示項目を内包する操作ボタンのサイズは同一として図示したが、文字サイズの変更に伴って、操作ボタンのサイズを変更するようにしてもよい。また、文字サイズの変更に伴って操作ボタンのサイズを変更するか否かを、ユーザが選択できるようにしてもよい。
【００９２】
〈第１の実施の形態の変形例１〉
図５は、上述した第１の実施の形態（図４）の変形例１であり、設定された文字サイズに応じて、文字サイズ、指示メッセージ、アイコンのみならず、操作ボタンサイズも変更している。
【００９３】
図５（ａ）に、上記文字サイズ選択画面３８１において、文字サイズとして小サイズが設定された場合に表示される応用機能画面３８３画面の一例を示す。図５（ａ）に示す表示レイアウトは、応用機能画面３８３における標準レイアウトである。図５（ｂ）に、文字サイズとして大サイズが設定された場合に表示される応用機能画面３８３の一例を示す。図５（ｂ）に示すように、文字サイズの設定が大サイズに設定されると、操作指示項目の文字が標準レイアウトに表示不可能となるので、画面レイアウトが変更レイアウトに変更される。即ち、小サイズを設定した場合と大サイズを設定した場合とで画面レイアウトが異なる。このように、応用機能画面３８３においては、文字サイズによっては標準レイアウトに表示することが不可能となるので、文字サイズに応じて画面レイアウトが変更される。
【００９４】
ここで、応用機能画面３８３の標準レイアウトには、操作指示項目が表示された１６個の操作ボタンが表示されている。応用機能画面３８３の変更レイアウトは、標準レイアウトで表示される１６個の操作ボタンを分割し、８個の操作ボタンを１画面内に割付け、残りの８ボタンを別画面に割付けたレイアウトとなっている。即ち、大サイズを設定した際に表示される変更レイアウト上の操作ボタンの数は、小サイズを設定した際に表示される標準レイアウト上の操作ボタンの数より少なくなっている。変更レイアウトの各画面には画面切替ボタン３８３ａ、３８３ｂが表示されており、これらのボタンの押下により、表示する画面を選択可能となっている。これにより、大きい文字サイズで表示すべき操作ボタンを表示させることができる。このように、図５において、文字サイズとして小サイズを選択した場合は、１画面で多くの操作ボタンや情報を表示することができるので、画面を切り替える必要がなく、操作性が向上する。また、文字サイズとして大サイズを選択した場合は、見やすい表示画面を提供することができる。
【００９５】
〈第１の実施の形態の変形例２〉
図６は、上述した第１の実施の形態（図４）及びその変形例１（図５）の変形例２であり、設定された文字サイズに応じて、ボタンの配置構成をも変更している（詳細については後述する）。
【００９６】
図６（ａ）に、上記文字サイズ選択画面３８１において、文字サイズとして小サイズが設定された際に表示される各種設定画面３８４画面の一例を示す。図６（ａ）に示す画面レイアウトは、各種設定画面３８４における標準レイアウトである。図６（ｂ）に、文字サイズとして大サイズが設定された際に表示される各種設定画面３８４の一例を示す。文字サイズの設定が大サイズに設定されると、表示すべき文字が標準レイアウトに表示不可能となるので、図６（ｂ）に示すように、画面レイアウトが変更レイアウトに変更される。
【００９７】
ここで、各種設定画面３８４の標準レイアウトには、各設定項目のインデックス（例えば、原稿設定、画質選択、倍率設定等）、各項目に対して実際に設定入力を行うための操作ボタン、現在の設定状態を示す詳細表示等が表示されている。変更レイアウトには、各設定項目のインデックス及び現在の設定状態の概略表示が表示されており、標準レイアウトで表示されていた、各種設定を実際に入力するための操作ボタン及び詳細表示は非表示となっている。即ち、変更レイアウトにおいては、標準レイアウトの予め定められた表示項目（ここでは、操作ボタン、詳細表示）が非表示となる。変更レイアウトにおいては、各設定項目のインデックスが押下されると、押下された項目を設定するための操作ボタン等が表示され、入力が可能となる。このように、図６において、文字サイズとして小サイズを選択した場合は、１画面で各種設定の操作を行うことができるので、他の画面を表示させる必要がなく操作性が向上する。また、文字サイズとして大サイズを選択した場合は、見やすい表示画面を提供することができる。
【００９８】
以上説明したように、画像形成装置１によれば、文字サイズ選択画面３８１から文字サイズが設定されると、操作表示制御部３１により、設定された文字サイズで画面レイアウト上に文字が表示される。設定された文字サイズの文字が標準レイアウトに表示可能である場合は、標準レイアウトで表示され、表示不可能である場合は、設定された文字サイズで表示可能な変更レイアウトに変更される。従って、ユーザが表示画面上の文字サイズを選択可能とすることで、個々のユーザに最適な操作画面の表示を行うことができる。
【００９９】
なお、例えば、図４、５に示す応用機能画面３８２、３８３においては、操作ボタンに文字とともにアイコンが表示されているが、文字サイズに応じてアイコンの表示／非表示を切り替えることで、更に、表示のバリエーションを増やすことができ、ユーザに適した表示を行うことができるようになる。図７（ａ）（ｂ）に、図４に示した応用機能画面３８２において、文字サイズによるアイコンの表示／非表示を行った場合の表示例を示す。ここでは、大サイズ文字が設定された際には、アイコンを非表示としている。文字サイズの設定に対するアイコンの表示／非表示は、自動的に設定（例えば、大サイズの設定のときにはアイコンを非表示とする等）するようにしてもよいが、表示画面からユーザが文字サイズとともにアイコンの表示／非表示を設定可能とすることが望ましい。
【０１００】
また、文字サイズの設定画面は、図３に示した文字サイズ選択画面３８１のように、設定可能な文字サイズの文字が実物大で表示された選択ボタンから所望の文字サイズの選択ボタンを選択操作する画面としてもよいが、図８に示す文字サイズ設定画面３８５のように、矢印ボタンの押下に応じて表示されている文字をズームアップ／ダウンし、文字サイズの大小を切り替え表示し、所望の文字サイズの文字が表示された状態でＯＫボタンが押下されてタッチパネル３６からその押下信号が入力されると、表示されている文字サイズを表示文字サイズとして設定するようにしてもよい。この文字サイズの大小の切り替えは、連続的であってもよいし、段階的であってもよい。上記文字サイズ設定画面３８５においては、文字のサイズが切り替え表示されるので、ユーザが自分に適した文字サイズを選択しやすくなる。
【０１０１】
また、上記実施の形態で示した各図においては、文字サイズの変更に伴ってアイコンのサイズを変更することとしたが、文字サイズとアイコンのサイズを必ずしも連動させる必要はなく、文字サイズの変更に伴ってアイコンのサイズを変更するか否かをユーザが選択できるようにしてもよい。
【０１０２】
〔第２の実施の形態〕
次に、本発明の第２の実施の形態について説明する。
なお、第２の実施の形態における画像形成装置１の要部構成は、第１の実施の形態の構成（図１参照）とほぼ同様であるので、第１の実施の形態と異なる箇所を下記に記載する。
【０１０３】
操作表示制御部３１は、ＲＯＭ３２に記憶されたボタンサイズ変更表示処理プログラム３２２に従い、ボタンサイズ変更表示処理（図９参照）を実行する。すなわち、タッチパネル３６から操作ボタンサイズ（以下、ボタンサイズと称する）が選択されると、選択されたボタンサイズを表示ボタンサイズとして設定し、ＬＣＤ３８上に表示画面の表示を行う際には、標準レイアウト格納部３５１を参照して、選択された表示サイズの操作ボタンが標準レイアウトに表示可能か否かを判断し、表示可能である場合には標準レイアウト、表示不可能である場合には変更レイアウトに決定し、決定されたレイアウト上に設定されたボタンサイズで操作ボタンを表示させる。
【０１０４】
次に、動作について説明する。
図９に、タッチパネル３６から操作ボタンのサイズ変更の指示が入力された際に操作表示制御部３１により実行されるボタンサイズ変更表示処理を示す。
【０１０５】
ボタンサイズ変更表示処理において、タッチパネル３６から操作ボタンのサイズ変更の指示が入力されると、設定手段としてのステップＳ１１において、ボタンサイズ設定処理が実行される（ステップＳ１１）。このボタンサイズ設定処理において、ＬＣＤコントローラ３７を介してＬＣＤ３８にボタンサイズ選択画面が表示され、ボタンサイズが選択入力されると選択されたボタンサイズが表示ボタンサイズとして設定される。
【０１０６】
図１０に、ボタンサイズ選択画面３８６の一例を示す。図１０に示すように、ボタンサイズ選択画面３８６には、画面上部に「サイズを選択してＯＫボタンを押してください。」等の操作指示が表示され、画面中央に、実物大のボタンサイズで表示された選択ボタンがボタンサイズ名（例えば、小サイズボタン、中サイズボタン、大サイズボタン）と対応付けて表示されている。ボタンサイズの選択ボタンが選択押下され、更にＯＫボタンが押下されてタッチパネル３６からその押下信号が入力されると、選択されたボタンサイズが表示するボタンサイズとして設定される。
【０１０７】
図９のステップＳ１１においてボタンサイズが設定されると、設定されたボタンサイズの操作ボタンが、表示する画面の標準レイアウトに表示可能であるか否かが判断される。設定されたボタンサイズの操作ボタンが標準レイアウトに表示可能である場合（ステップＳ１２；ＹＥＳ）、画面レイアウトが標準レイアウトに決定され、標準レイアウト格納部３５１から表示する画面の標準レイアウトデータが読み込まれ、標準レイアウト上に設定されたボタンサイズで操作ボタンを表示した表示画面がＬＣＤ３８に表示される（ステップＳ１３）。
【０１０８】
一方、設定されたボタンサイズの操作ボタンでは標準レイアウトに表示不可能である場合（ステップＳ１２；ＮＯ）、画面レイアウトが変更レイアウトに決定され、変更レイアウト格納部３５２から表示する画面の変更レイアウトデータが読み込まれ、変更レイアウト上に設定されたボタンサイズで操作ボタンを表示した表示画面がＬＣＤ３８に表示される（ステップＳ１４）。
【０１０９】
ここで、ステップＳ１２における各ボタンサイズの操作ボタンが標準レイアウトに表示可能であるか否かの判断は、例えば、予め標準レイアウト格納部３５１の表示画面毎の標準レイアウトデータに、各標準レイアウトに表示可能なボタンサイズを対応付けて記憶しておき、ステップＳ１２において、標準レイアウト格納部３５１を参照することにより行うことができる。また、標準レイアウトに表示される操作ボタンの数とボタンサイズの関係から表示可能であるか否かを判断するようにしてもよい。
【０１１０】
また、ボタンサイズ毎にそのボタンサイズに応じたレイアウトデータを対応付けて記憶部としてのフラッシュメモリ３５に記憶しておき、設定されたボタンサイズに応じたレイアウトデータを読み込んで、読み込まれた画面レイアウト上に設定されたボタンサイズで操作ボタンを表示するようにしてもよい。
【０１１１】
なお、他の表示画面への切り替えが行われる際には、操作表示制御部３１は、ステップＳ１２以降の処理を実行して、設定されたボタンサイズの操作ボタンが標準レイアウトに表示可能である場合には標準レイアウトで、表示不可能である場合には変更レイアウトで表示画面が表示される。
【０１１２】
以下、図１１〜図１４を参照して、上述したボタンサイズ変更表示処理を実行することにより表示される画面レイアウトについて説明する。
【０１１３】
図１１は、操作ボタンを設定されたサイズに応じて変更する実施の形態である。なお、この場合、操作ボタン内に表示される操作指示項目の文字、各画面の左上に表示される指示メッセージ（例えば、図１１（ｂ）、（ｃ）においては「応用機能を選んでください」という文字）及びアイコンも、設定された操作ボタンサイズに応じて変更している。
【０１１４】
図１１（ａ）に、上記ボタンサイズ選択画面３８６において、ボタンサイズとして小サイズが設定された場合に表示される応用機能画面３８２画面の一例を示す。図１１（ａ）に示す画面レイアウトは、応用機能画面３８２における標準レイアウトである。図１１（ｂ）に、ボタンサイズとして大サイズが設定された場合に表示される応用機能画面３８２の一例を示す。図１１（ｂ）に示すように、ボタンサイズとして大サイズが設定された場合、標準レイアウト上に大サイズに変更された操作ボタンが表示されている。この図１１（ａ）（ｂ）に示すように、ボタンサイズが小サイズに設定されても大サイズに設定されても、表示すべき操作ボタンが標準レイアウト上に表示可能であるので、画面レイアウトは変更されない。このように、応用機能画面３８２においては、ボタンサイズの変更により画面レイアウトは変更されないが、ボタンサイズによって、見やすさや印象が大幅に異なる。従って、ユーザは、使い慣れた画面レイアウト上で所望のボタンサイズの操作ボタンを表示する画面に設定することができる。
【０１１５】
〈第２の実施の形態の変形例１〉
図１２は、上述した第２の実施の形態（図１１）の変形例１である。
図１２（ａ）に、上記ボタンサイズ選択画面３８６において、ボタンサイズとして小サイズが設定された場合に表示される応用機能画面３８３画面の一例を示す。図１２（ａ）に示す表示レイアウトは、応用機能画面３８３における標準レイアウトである。図１２（ｂ）に、ボタンサイズとして大サイズが設定された場合に表示される応用機能画面３８３の一例を示す。図１２（ｂ）に示すように、ボタンサイズの設定が大サイズに設定されると、表示すべき操作ボタンが標準レイアウトに表示不可能となるので、画面レイアウトが変更レイアウトに変更される。即ち、小サイズを設定した場合と大サイズを設定した場合とで画面レイアウトが異なる。このように、応用機能画面３８３においては、ボタンサイズによっては標準レイアウトに表示することが不可能となるので、ボタンサイズに応じて画面レイアウトが変更される。
【０１１６】
ここで、応用機能画面３８３の標準レイアウトには、１６個の操作ボタンが表示されている。応用機能画面３８３の変更レイアウトは、標準レイアウトで表示される１６個の操作ボタンを分割し、８個の操作ボタンを１画面内に割付け、残りの８ボタンを別画面に割付けたレイアウトとなっている。即ち、大サイズを設定した際に表示される変更レイアウト上の操作ボタンの数は、小サイズを設定した際に表示される標準レイアウト上の操作ボタンの数より少なくなっている。変更レイアウトの各画面には画面切替ボタン３８３ｃ、３８３ｄが表示されており、これらのボタンの押下により、表示する画面を選択可能となっている。これにより、大きいボタンサイズで表示すべき操作ボタンを表示させることができる。このように、図１２において、ボタンサイズとして小サイズを選択した場合は、１画面で多くの操作ボタンや情報を表示することができるので、画面を切り替える必要がなく、操作性が向上する。また、ボタンサイズとして大サイズを選択した場合は、見やすい表示画面を提供することができる。
【０１１７】
また、図１２（ｂ）で示したように、大サイズが設定された場合、全てのボタンサイズを一律に大きくしてもよいが、図１３に示すように、一部の操作ボタンのボタンサイズのみを大サイズに変更するようにしてもよい。例えば、操作ボタンが操作されるごとに操作内容をログとして記録しておき、使用頻度の高い機能の操作ボタンを大ボタンで表示するようにしてもよいし、ユーザが大サイズで表示する操作ボタンを選択するようにしてもよい。これにより、更にユーザの使い勝手のよい画面を提供することができるようになる。
【０１１８】
.
〈第２の実施の形態の変形例２〉
図１４は、上述した第２の実施の形態（図１１）及びその変形例１（図１２、１３）の変形例２である。
図１４（ａ）に、上記ボタンサイズ選択画面３８６において、ボタンサイズとして小サイズが設定された際に表示される各種設定画面３８４画面の一例を示す。図１４（ａ）に示す画面レイアウトは、各種設定画面３８４における標準レイアウトである。図１４（ｂ）に、ボタンサイズとして大サイズが設定された際に表示される各種設定画面３８４の一例を示す。ボタンサイズの設定が大サイズに設定されると、表示すべき操作ボタンが標準レイアウトに表示不可能となるので、図１４（ｂ）に示すように、画面レイアウトが変更レイアウトに変更される。
【０１１９】
ここで、各種設定画面３８４の標準レイアウトには、各設定項目のインデックス、各項目に対して実際に設定入力を行うための操作ボタン、現在の設定状態を示す詳細表示等が表示されている。標準レイアウトにおいて、選択されたボタンサイズは設定項目に適用されている。変更レイアウトには、各設定項目のインデックス及び現在の設定状態の概略表示が表示されており、標準レイアウトで表示されていた、各種設定を実際に入力するための操作ボタン及び詳細表示は非表示となっている。即ち、変更レイアウトにおいては、標準レイアウトの予め定められた表示項目（ここでは、操作ボタン、詳細表示）が非表示となる。変更レイアウトにおいては、各設定項目のインデックスが押下されると、押下された項目を設定するための操作ボタン等が表示され、入力が可能となる。このように、図１４において、ボタンサイズとして小サイズを選択した場合は、１画面で各種設定の操作を行うことができるので、他の画面を表示させる必要がなく操作性が向上する。また、ボタンサイズとして大サイズを選択した場合は、見やすい表示画面を提供することができる。
【０１２０】
以上説明したように、画像形成装置１によれば、ボタンサイズ選択画面３８６からボタンサイズが設定されると、操作表示制御部３１により、設定されたボタンサイズで画面レイアウト上に操作ボタンが表示される。設定されたボタンサイズの操作ボタンが標準レイアウトに表示可能である場合は、標準レイアウトで表示され、表示不可能である場合は、設定されたボタンサイズで表示可能な変更レイアウトに変更される。従って、ユーザがボタンサイズを選択可能とすることで、個々のユーザに最適な操作画面の表示を行うことができる。
【０１２１】
なお、ボタンサイズの設定画面は、図１０に示したボタンサイズ選択画面３８６のように、設定可能なボタンサイズの操作ボタンが実物大で表示され、所望のボタンサイズの操作ボタンを選択操作する画面としてもよいが、図１５に示すボタンサイズ設定画面３８７のように、矢印ボタンの押下に応じて表示されている操作ボタンをズームアップ／ダウンし、ボタンサイズの大小を切り替え表示し、所望のボタンサイズの操作ボタンが表示された状態でＯＫボタンを押下することによりタッチパネル３６からその押下信号が入力されると、表示されている操作ボタンのサイズをボタンサイズとして設定するようにしてもよい。このボタンサイズの大小の切り替えは、連続的であってもよいし、段階的であってもよい。上記ボタンサイズ設定画面３８７においては、操作ボタンのサイズが切り替え表示されるので、ユーザが自分に適したボタンサイズを選択しやすくなる。
【０１２２】
また、上記実施の形態で示した各図においては、ボタンサイズの変更に伴い、文字サイズを変更して表示しているが、ボタンサイズと文字サイズを必ずしも連動させる必要はなく、ボタンサイズの変更に伴って文字サイズを変更するか否かをユーザが選択できるようにしてもよい。
【０１２３】
更に、ユーザの設定により、文字の色、ボタンの色を変更できるようにしてもよい。これにより、ユーザの細かなニーズにも対応できるようになる。また、例えば、操作ボタンが操作されるごとに操作内容をログとして記録しておき、使用頻度の高い機能の操作ボタンの色や、その操作ボタンに表示される文字の色を変えるようにしてもよい。これにより、更にユーザの使い勝手のよい画面を提供することができるようになる。
【０１２４】
その他、画像形成装置１の細部構成及び細部動作に関しても、本発明の趣旨を逸脱することのない範囲で適宜変更可能である。
【図面の簡単な説明】
【０１２５】
【図１】本発明に係る画像形成装置１の機能的構成を示すブロック図である。
【図２】図１の操作表示制御部３１により実行される文字サイズ変更表示処理を示すフローチャートである。
【図３】図１のＬＣＤ３８に表示される文字サイズ選択画面３８１の一例を示す図である。
【図４】図２の文字サイズ選択画面３８１で文字サイズとして小サイズ及び大サイズが選択された際に、図１のＬＣＤ３８に表示される応用機能画面３８２の一例を示す図である。
【図５】図２の文字サイズ選択画面３８１で文字サイズとして小サイズ及び大サイズが選択された際に、図１のＬＣＤ３８に表示される応用機能画面３８３の一例を示す図である。
【図６】図２の文字サイズ選択画面３８１で文字サイズとして小サイズ及び大サイズが選択された際に、図１のＬＣＤ３８に表示される各種設定画面３８４の一例を示す図である。
【図７】図２の文字サイズ選択画面３８１で文字サイズとして小サイズ及び大サイズが選択された際に、図１のＬＣＤ３８に表示される応用機能画面３８２の一例を示す図である。
【図８】図１のＬＣＤ３８に表示される文字サイズ設定画面３８５の一例を示す図である。
【図９】図１の操作表示制御部３１により実行されるボタンサイズ変更表示処理を示すフローチャートである。
【図１０】図１のＬＣＤ３８に表示されるボタンサイズ選択画面３８６の一例を示す図である。
【図１１】図１０のボタンサイズ選択画面３８６でボタンサイズとして小サイズ及び大サイズが選択された際に、図１のＬＣＤ３８に表示される応用機能画面３８２の一例を示す図である。
【図１２】図１０のボタンサイズ選択画面３８６でボタンサイズとして小サイズ及び大サイズが選択された際に、図１のＬＣＤ３８に表示される応用機能画面３８３の一例を示す図である。
【図１３】図１０のボタンサイズ選択画面３８６でボタンサイズとして小サイズ及び大サイズが選択された際に、図１のＬＣＤ３８に表示される応用機能画面３８３の一例を示す図である。
【図１４】図１０のボタンサイズ選択画面３８６でボタンサイズとして小サイズ及び大サイズが選択された際に、図１のＬＣＤ３８に表示される各種設定画面３８４の一例を示す図である。
【図１５】図１０のＬＣＤ３８に表示されるボタンサイズ設定画面３８７の一例を示す図である。
【符号の説明】
【０１２６】
１  画像形成装置
１０  本体
１１  本体ＣＰＵ
１２  ＲＯＭ
１３  ＲＡＭ
１４  不揮発ＲＡＭ
１５  シリアル通信制御ユニット
１６  画像読取ユニット
１７  画像形成ユニット
１８  転写ユニット
１９  通信制御部
２０  バス
２１  信号線
３０  操作表示部
３１  操作表示制御部
３２  ＲＯＭ
３２１  文字サイズ変更表示処理プログラム
３２２  ボタンサイズ変更表示処理プログラム
３３  ＲＡＭ
３４  シリアル通信制御ユニット
３５  フラッシュメモリ
３５１  標準レイアウト格納部
３５２  変更レイアウト格納部
３６  タッチパネル
３７  ＬＣＤコントローラ
３８  ＬＣＤ
３９  バス
【図１】
2004180275.tif 000003
【図２】
2004180275.tif 000004
【図３】
2004180275.tif 000005
【図４】
2004180275.tif 000006
【図５】
2004180275.tif 000007
【図６】
2004180275.tif 000008
【図７】
2004180275.tif 000009
【図８】
2004180275.tif 000010
【図９】
2004180275.tif 000011
【図１０】
2004180275.tif 000012
【図１１】
2004180275.tif 000013
【図１２】
2004180275.tif 000014
【図１３】
2004180275.tif 000015
【図１４】
2004180275.tif 000016
【図１５】
2004180275.tif 000017